(57)【要約】  パネル収納用カセット１の枠体３に、各パネルＰ１，Ｐ２を収納する収納凹部が両側面に並んで形成された複数のパネル支持部材２を互いに平行状態を保ったままスライド移動可能に支持する。これら複数のパネル支持部材２を、複数のパネルＰ１，Ｐ２に対応させて２以上のグループに分ける。そして、Ｘ型リンク部材５（ピッチ変更機構）によって複数のパネル支持部材２を各グループごとに連結する。Ｘ型リンク部材５を操作してパネルＰ１，Ｐ２の幅Ｗ１，Ｗ２に合わせて等間隔となるように、これら複数のパネル支持部材２を枠体３内でスライド移動させる。
2011027488.tif 000002
【特許請求の範囲】
【請求項１】
異なる幅を有する複数種類のパネルを収納するためのパネル収納用カセットであって、
少なくとも２以上のグループに分けられ、上記複数のパネルをそれぞれ保持する収納凹部が両側面に並んで形成された複数のパネル支持部材と、
上記複数のパネル支持部材を互いに平行状態を保ったままスライド移動可能に支持する、直方体状の骨組み構造である枠体と、
上記複数のパネル支持部材を各グループごとに連結し、上記複数種類のパネルの幅に合わせて等間隔となるように上記複数のパネル支持部材を互いに平衡状態を保ったまま上記枠体内でスライド移動させるピッチ変更機構とを備えている
ことを特徴とするパネル収納用カセット。
【請求項２】
請求項１に記載のパネル収納用カセットにおいて、
上記ピッチ変更機構は、隣接する上記パネル支持部材を互いに連結する複数のＸ型リンク部材であり、
上記各Ｘ型リンク部材は、
１対の棒状部材と、
各棒状部材の中点を回転可能に支持する中心ピンとを備え、
隣接する上記棒状部材の端部が連結ピンで回転可能に連結されている
ことを特徴とするパネル収納用カセット。
【請求項３】
請求項２に記載のパネル収納用カセットにおいて、
上記連結ピンが、上記各パネル支持部材に対してスライド移動可能に連結されている
ことを特徴とするパネル収納用カセット。
【請求項４】
請求項２に記載のパネル収納用カセットにおいて、
上記中心ピンが、上記各パネル支持部材に対してスライド移動不能に連結されている
ことを特徴とするパネル収納用カセット。
【請求項５】
請求項２乃至４のいずれか１つに記載のパネル収納用カセットにおいて、
上記複数のＸ型リンク部材をピッチを調整した状態で上記枠体に固定するリンク固定機構を備えている
ことを特徴とするパネル収納用カセット。
【請求項６】
請求項５に記載のパネル収納用カセットにおいて、
上記リンク固定機構は、
上記枠体に固定され、上記Ｘ型リンク部材の中心ピンをスライド移動可能に支持し、該中心ピンを固定可能に構成された固定板を有し、
該固定板には、目盛りが設けられている
ことを特徴とするパネル収納用カセット。
【請求項７】
請求項５に記載のパネル収納用カセットにおいて、
上記リンク固定機構は、
上記各グループごとの一番外側の上記Ｘ型リンク部材における１対の端部の外側に配置したストッパと、
上記Ｘ型リンク部材の中心ピンに連結されると共に、上記ストッパに挿通されたロッドと、
上記ロッドに回転可能に挿入されたナットとを備え、
上記ナットを回転させることで、上記ピッチを変更すると共に、該ピッチを保持したまま上記Ｘ型リンク部材を固定するように構成されている
ことを特徴とするパネル収納用カセット。
【請求項８】
請求項７に記載のパネル収納用カセットにおいて、
上記ロッドには、上記ピッチを示す目盛りが設けられている
ことを特徴とするパネル収納用カセット。
【請求項９】
請求項５に記載のパネル収納用カセットにおいて、
上記リンク固定機構は、
上記各グループごとの一番外側の上記Ｘ型リンク部材における上記１対の棒状部材で形成される角度を計測する角度計測器を備え、
該角度計測器により、上記各ピッチを測定可能に構成され、
上記測定された角度で上記リンク部材を固定可能に構成されている
ことを特徴とするパネル収納用カセット。
【請求項１０】
請求項５に記載のパネル収納用カセットにおいて、
上記リンク固定機構は、
上記各グループごとの一番外側の上記Ｘ型リンク部材における１対の端部の外側に配置したストッパと、
上記一番外側のＸ型リンク部材の中心ピンに一端が連結されたワイヤーと、
上記ワイヤーを巻き取るワイヤー巻取装置とを備え、
上記ワイヤー巻取装置の巻取量より上記ピッチを測定可能に構成され、
上記測定された巻取量で上記リンク部材を固定可能に構成されている
ことを特徴とするパネル収納用カセット。
【請求項１１】
請求項５に記載のパネル収納用カセットにおいて、
上記リンク固定機構は、
上記各グループごとの一番外側の上記Ｘ型リンク部材における１対の端部の外側に配置したストッパと、
上記一番外側のＸ型リンク部材の中心ピンに一端が連結された弾性部材と、
上記弾性部材の他端を引っ張る張力を測定する荷重計とを備え、
上記荷重計より上記ピッチを測定可能に構成され、
上記測定された張力で上記リンク部材を固定可能に構成されている
ことを特徴とするパネル収納用カセット。
【発明の詳細な説明】
【技術分野】
【０００１】
本発明は、液晶パネル等の多数のパネルを保管又は洗浄する際に使用する多連のパネル収納用カセットに関するものである。
【背景技術】
【０００２】
従来より、多数の液晶パネルを保管又は洗浄する際に使用する多連のカセットが使用されている。液晶表示装置等の製品のサイズに合わせ、液晶パネルには様々なサイズがあるため、この液晶パネルを収容する収容凹部を有するパネル支持部材の位置を液晶パネルのサイズに合わせて変更している。このため、生産機種が切り換わるたびに、専用の調整治具を使用してパネル支持部材の位置を調整する必要があった。【０００３】
そこで、例えば、特許文献１のように、収納する板材の幅径に応じて側板の位置調整を行う板材収納カセットが知られている。この板材収納カセットは、ストッパ部材を反付設方向に牽引することで位置設定用係合部との係合状態が解かれ板材保持可動板が長孔に沿って移動自在となり、又はストッパ部材の牽引を開放することでストッパ部材が位置設定用係合部に係合し板材保持板の移動が阻止され、収納する板体の幅径に応じた位置設定ができるようにしている。【０００４】
一方、パネル支持部材間のピッチ間隔を調整するものとしては、例えば、特許文献２に見られるように、Ｘリンク機構を用いてパネル支持部材の間隔を調整するものが知られている。
【先行技術文献】
【特許文献】
【０００５】
【特許文献１】特開２００３−２８２６９５号公報
【特許文献２】特開平１１−１３０２５４号公報
【発明の概要】
【発明が解決しようとする課題】
【０００６】
ところで、複数種類のパネルを同一ラインで製造するような場合、１つのパネル収納用カセットで異なる幅を有するパネルを収納させ、まとめてパネルの洗浄等を行う必要があるときがある。【０００７】
しかしながら、上記特許文献１のパネル収納用カセットでは、パネルの幅に合わせて板材保持板の間隔を変更できるものの、１種類のパネルしか収納できないという問題がある。【０００８】
一方、特許文献２のパネル収納用カセットでは、パネルごとの間隔は変更できても、同一幅のパネルしか収納できない。【０００９】
本発明は、かかる点に鑑みてなされたものであり、その目的とするところは、複数種類のパネルを、専用治具を用いることなく１つのパネル収納用カセット内に簡単に収納してまとめて洗浄等を行えるようにすることにある。
【課題を解決するための手段】
【００１０】
上記の目的を達成するために、この発明では、複数グループのパネル収納部材をピッチ変更部材でそれぞれ連結した。【００１１】
具体的には、第１の発明では、
異なる幅を有する複数種類のパネルを収納するためのパネル収納用カセットを対象とし、
上記パネル収納用カセットは、
少なくとも２以上のグループに分けられ、上記複数のパネルをそれぞれ保持する収納凹部が両側面に並んで形成された複数のパネル支持部材と、
上記複数のパネル支持部材を互いに平行状態を保ったままスライド移動可能に支持する、直方体状の骨組み構造である枠体と、
上記複数のパネル支持部材を各グループごとに連結し、上記複数種類のパネルの幅に合わせて等間隔となるように上記複数のパネル支持部材を互いに平衡状態を保ったまま上記枠体内でスライド移動させるピッチ変更機構とを備えている。【００１２】
上記の構成によると、ピッチ変更機構により、複数のパネル支持部材を各グループごとに連結し、複数種類のパネルの幅に合わせて等間隔となるように互いに平衡状態を保ったままパネル収納用カセットの枠体内でスライド移動させることができるので、専用の治具等を用いなくても、各パネル支持部材間に複数種類のパネルが簡単に収納される。【００１３】
第２の発明では、第１の発明において、
上記ピッチ変更機構は、隣接する上記パネル支持部材を互いに連結する複数のＸ型リンク部材であり、
上記各Ｘ型リンク部材は、
１対の棒状部材と、
各棒状部材の中点を回転可能に支持する中心ピンとを備え、
隣接する上記棒状部材の端部が連結ピンで回転可能に連結されている。【００１４】
上記の構成によると、同じサイズのＸ型リンク部材を開閉操作することにより、各パネル支持部材が同一ピッチで枠体内をスライド移動することができるので、専用の治具等を用いなくても、パネル支持部材間のピッチを極めて容易に変更することができる。【００１５】
第３の発明では、第２の発明において、
上記連結ピンが、上記各パネル支持部材に対してスライド移動可能に連結されている。      【００１６】
上記の構成によると、Ｘ型リンク部材の連結ピンを利用して各パネル支持部材がＸ型リンク部材に連結されるので、部品点数が少なくてすむ。【００１７】
第４の発明では、第２の発明において、
上記中心ピンが、上記各パネル支持部材に対してスライド移動不能に連結されている。【００１８】
上記の構成によると、Ｘ型リンク部材の中心ピンを利用して各パネル支持部材がＸ型リンク部材に連結されるので、部品点数が少なくてすむと共に、中心ピンは、パネル支持部材に対して動かないので、連結ピンをスライドさせる長孔をパネル支持部材に設ける必要がなく、構成が簡単となる。【００１９】
第５の発明では、第２乃至第４のいずれか１つの発明において、
上記複数のＸ型リンク部材をピッチを調整した状態で上記枠体に固定するリンク固定機構を備えている。【００２０】
上記の構成によると、Ｘ型リンク部材が所定ピッチに調整された状態で固定されるので、パネル支持部材間に収納したパネルが脱落したり、ぐらついたりするのが防止される。【００２１】
第６の発明では、第５の発明において、
上記リンク固定機構は、上記枠体に固定され、上記Ｘ型リンク部材の中心ピンをスライド移動可能に支持し、該中心ピンを固定可能に構成された固定板を有し、該固定板には、目盛りが設けられている。【００２２】
上記の構成によると、Ｘ型リンク部材の中心ピンを固定板に固定することで、各グループの各パネル支持部材が同じピッチで簡単に固定される。また、固定板の目盛りを見ることでピッチの確認が簡単に行われる。【００２３】
第７の発明では、第５の発明において、
上記リンク固定機構は、
上記各グループごとの一番外側の上記Ｘ型リンク部材における１対の端部の外側に配置したストッパと、
上記Ｘ型リンク部材の中心ピンに連結されると共に、上記ストッパに挿通されたロッドと、
上記ロッドに回転可能に挿入されたナットとを備え、
上記ナットを回転させることで、上記ピッチを変更すると共に、該ピッチを保持したまま上記Ｘ型リンク部材を固定するように構成されている。【００２４】
上記の構成によると、ナットを回転させてストッパに固定することにより、簡単な構成で、各グループの各パネル支持部材が同じピッチで簡単に固定される。【００２５】
第８の発明では、第５の発明において、
上記ロッドには、上記ピッチを示す目盛りが設けられている。【００２６】
上記の構成によると、ロッドのピッチを見ながら、ナットを回転させてストッパに固定することにより、各グループの各パネル支持部材が同じピッチで簡単に固定される。【００２７】
第９の発明では、第５の発明において、
上記リンク固定機構は、
上記各グループごとの一番外側の上記Ｘ型リンク部材における上記１対の棒状部材で形成される角度を計測する角度計測器を備え、
該角度計測器により、上記各ピッチを測定可能に構成され、
上記測定された角度で上記リンク部材を固定可能に構成されている。【００２８】
上記の構成によると、予めパネル幅に対応する角度を求めておくことで、角度計測器の角度を見ながらＸ型リンク部材を開閉操作することにより、各グループの各パネル支持部材が同じピッチで簡単に固定される。【００２９】
第１０の発明では、第５の発明において、
上記リンク固定機構は、
上記各グループごとの一番外側の上記Ｘ型リンク部材における１対の端部の外側に配置したストッパと、
上記一番外側のＸ型リンク部材の中心ピンに一端が連結されたワイヤーと、
上記ワイヤーを巻き取るワイヤー巻取装置とを備え、
上記ワイヤー巻取装置の巻取量より上記ピッチを測定可能に構成され、
上記測定された巻取量で上記リンク部材を固定可能に構成されている。【００３０】
上記の構成によると、荷重計を見ながらワイヤーを巻取装置で巻き取ることにより、その巻取量に対応したピッチで、各グループの各パネル支持部材が簡単に固定される。【００３１】
第１１の発明では、第５の発明において、
上記リンク固定機構は、
上記各グループごとの一番外側の上記Ｘ型リンク部材における１対の端部の外側に配置したストッパと、
上記一番外側のＸ型リンク部材の中心ピンに一端が連結された弾性部材と、
上記弾性部材の他端を引っ張る張力を測定する荷重計とを備え、
上記荷重計より上記ピッチを測定可能に構成され、
上記測定された張力で上記リンク部材を固定可能に構成されている。【００３２】
上記の構成によると、荷重計を見ながら弾性部材を引っ張ることにより、その張力に対応したピッチで、各グループの各パネル支持部材が簡単に固定される。
【発明の効果】
【００３３】
以上説明したように、本発明によれば、パネルを収納する収納凹部が両側面に並んで形成された複数のパネル支持部材を２以上のグループに分け、これらを、複数のパネル支持部材を枠体に支持した状態でピッチ変更機構によって各グループごとに連結し、複数種類のパネルの幅に合わせて等間隔となるように互いに平衡状態を保ったまま枠体内でスライド移動させるようにしたことにより、複数種類のパネルを、専用治具を用いることなく１つのパネル収納用カセット内に簡単に収納してまとめて洗浄等を行うことができる。
【図面の簡単な説明】
【００３４】
【図１】本発明の実施形態１にかかるパネル収納用カセットの正面図である。
【図２】本発明の実施形態１にかかるパネル収納用カセットの一部を示す平面図である。
【図３】パネル支持部材にパネルが収納された様子を示す一部拡大平面図である。
【図４】パネル支持部材にパネルが収納された様子を示す一部拡大正面図である。
【図５】本発明の実施形態１の変形例にかかる図１相当図である。
【図６】本発明の実施形態２にかかるリンク固定機構及びその周辺を示す正面図である。
【図７】本発明の実施形態３にかかるリンク固定機構及びその周辺を示す正面図である。
【図８】本発明の実施形態４にかかるリンク固定機構及びその周辺を示す正面図である。
【発明を実施するための形態】
【００３５】
以下、本発明の実施形態を図面に基づいて説明する。
【００３６】
（実施形態１）
図１及び図２は本発明の実施形態１のパネル収納用カセット１を示し、このパネル収納用カセット１は、異なる幅Ｗ１，Ｗ２（図４に示す）を有する複数種類のパネルＰ１，Ｐ２を上方向から挿入して収納可能に構成されている。
【００３７】
具体的には、パネル収納用カセット１は、複数のパネルＰ１，Ｐ２をそれぞれ保持する少なくとも２以上（本実施形態では、２）のグループに分けられた複数のパネル支持部材２を備えている。図３及び図４に拡大して示すように、このパネル支持部材２は、上下方向に伸び、各パネルＰ１，Ｐ２を収納するパネル収納凹部２ａが左右両側面に前後方向に多数並んで形成されている。そして、パネル支持部材２の下端の底壁２ｂに各パネルＰ１，Ｐ２の下端が当接して収納されるようになっている。
【００３８】
上記複数のパネル支持部材２は、直方体状の骨組み構造である、断面が矩形枠状の枠体３に、互いに平行状態を保ったまま互いの距離を変更可能にスライド移動できるように支持されている。そして、複数のパネル支持部材２は、ピッチ変更機構としての複数のＸ型リンク部材５で各グループごとに連結されている。各グループにおける１つのパネル支持部材２が枠体３に固定されている必要があり、例えば、左右両端のパネル支持部材２が枠体３に固定されている。
【００３９】
各Ｘ型リンク部材５は、１対の棒状部材６と、パネル支持部材２の上下中間に連結された中心ピン７とを備え、隣接する棒状部材６の各端部が連結ピン８で互いに相対的に回転可能に連結されている。例えば、中心ピン７の先端にネジを切り、パネル支持部材２にネジ穴を形成することで、中心ピン７とパネル支持部材２とが締結により、連結されている。
【００４０】
例えば、本実施形態では、前後に連結された左右２グループのＸ型リンク部材５が設けられている。左右外側のＸ型リンク部材５の上側端部は、左右外側に伸びた操作部９を備えている。この操作部９に上下方向に力を加えることにより、中心ピン７を中心に各棒状部材６が回動し、Ｘ型リンク部材５が伸縮するようになっている。操作部９は、Ｘ型リンク部材５の下側端部に設けてもよく、上下両方に設けてもよい。各棒状部材６の長さが等しくなっていることから、各Ｘ型リンク部材５をそれぞれ開閉操作すると、２種類のパネルＰ１，Ｐ２の幅Ｗ１，Ｗ２に合わせて等間隔となるように２グループのパネル支持部材２が互いに平衡状態を保ったまま枠体３内でスライド移動可能となっている。
【００４１】
このように、中心ピン７とパネル支持部材２とが連結されていることで、対応する前後のＸ型リンク部材５が連動するようになっている。複数のＸ型リンク部材５（本実施形態では、４対）によって、隣接する複数のパネル支持部材２（本実施形態では４枚と３枚）が互いに連結されている。
【００４２】
図１及び図２にも示すように、複数のＸ型リンク部材５は、所定ピッチｘ１，ｘ２に調整された段階で枠体３に固定するためのリンク固定機構１０を備えている。
【００４３】
具体的には、本実施形態のリンク固定機構１０は、枠体３の前後面に固定された固定板１１を備えている。この固定板１１は、左右に伸びるスライド溝１１ａを有し、このスライド溝１１ａには、各Ｘ型リンク部材５の中心ピン７がスライド移動可能に支持されている。中心ピン７の鍔部の外径がスライド溝１１ａの内径よりも大きいことから、中心ピン７の抜けが防止されている。中心ピン７の先端ネジ部をパネル支持部材２のネジ穴に締め付けることで、各Ｘ型リンク部材５がパネル支持部材２に固定され、結果としてパネル支持部材２が枠体３に固定される。固定板１１には、目盛り１１ｂが設けられていることから、左右２グループの中心ピン７間のピッチｘ１，ｘ２をそれぞれ読み取ることで、各ピッチｘ１，ｘ２をパネルＰ１，Ｐ２の幅Ｗ１，Ｗ２に合わせた状態で中心ピン７をパネル支持部材２に締め付けて各グループのパネル支持部材２を固定することができるようになっている。Ｘ型リンク部材５の中心ピン７を利用して各パネル支持部材２がＸ型リンク部材５に連結されるので、部品点数が少なくてすむ。
【００４４】
そして、パネル支持部材２のスライド時には、中心ピン７を緩めて固定板１１との結合を解き、ピッチｘ１，ｘ２決定後に再び締め付けることで、中心ピン７が固定板１１に簡単に固定される。
【００４５】
中心ピン７は、パネル支持部材２に対して動かないので、後述する変形例のように連結ピン８をスライドさせる長孔をパネル支持部材２に設ける必要がなく、構成が簡単となっている。また、パネルＰ１，Ｐ２の収納領域に中心ピン７がないので、パネルＰ１，Ｐ２の高さ制限がないという利点もある。
【００４６】
なお、この中心ピン７を前後にパネル支持部材２内に貫通させて内側から固定用ナットで固定するようにしてもよい。
【００４７】
次に、本実施形態にかかるパネル収納用カセット１の使用方法について説明する。２種類の幅Ｗ１，Ｗ２を有するパネルＰ１，Ｐ２を収納した状態で図示しない洗浄機械に搬入する場合を想定する。
【００４８】
まず、一方のパネルＰ１の幅Ｗ１に合わせるために、右側の操作部９を下げてＸ型リンク部材５の間隔を延ばす。このとき、各Ｘ型リンク部材５の連結ピン８が互いに近付くように移動しながら、１対の棒状部材６間の角度が広がり、各パネル支持部材２間のピッチｘ１がそれぞれ均等に広がっていく。このとき、固定板１１の目盛り１１ｂを見ることでピッチｘ１の確認が簡単に行われる。
【００４９】
中心ピン７間の間隔（ピッチｘ１）がパネルＰ１の幅Ｗ１に対応する値となったときに各中心ピン７をパネル支持部材２に締め付け、各中心ピン７を固定板１１に固定する。これにより、右側のグループのパネル支持部材２の固定が完了する。
【００５０】
次いで、左側の操作部９を下げて他方のパネルＰ２の幅Ｗ２に合わせてピッチｘ２を決め、右側と同様にしてＸ型リンク部材５を固定板１１に固定する。
【００５１】
このように、Ｘ型リンク部材５を開閉操作することにより、各パネル支持部材２が同一ピッチｘ１，ｘ２で枠体３内をスライド移動することができるので、専用の治具等を用いなくても、パネル支持部材２間のピッチｘ１，ｘ２を極めて容易に変更することができる。また、Ｘ型リンク部材５の中心ピン７を固定板１１に固定することで、各グループの各パネル支持部材２が同じピッチｘ１，ｘ２で簡単かつ確実に固定される。
【００５２】
次いで、２グループのパネル支持部材２を固定した状態で、各パネル支持部材２のパネル収納凹部２ａに上方からそれぞれのパネルＰ１，Ｐ２を挿入する。各グループの各パネル支持部材２が確実に固定されているので、パネル支持部材２間に収納したパネルＰ１，Ｐ２が脱落したり、ぐらついたりするのが防止される。
【００５３】
パネルＰ１，Ｐ２の挿入が完了すれば、洗浄機械にパネル収納用カセット１を搬入する。
【００５４】
したがって、本実施形態にかかるパネル収納用カセット１によると、複数種類のパネルＰ１，Ｐ２を専用治具を用いない簡単な方法で、１つのパネル収納用カセット１内に収納してまとめて洗浄等を行うことができる。
【００５５】
−実施形態１の変形例−
図５は本発明の変形例を示し、Ｘ型リンク部材５とパネル支持部材２との固定方法が異なる点で上記実施形態１と異なる。なお、本変形例及び以下の各実施形態では、図１〜図４と同じ部分については同じ符号を付してその詳細な説明は省略する。
【００５６】
図５に示すように、本変形例では、各Ｘ型リンク部材５は、１対の棒状部材６と、各棒状部材６の中点を回転可能に支持する中心ピン７とを備えている。中心ピン７は、前後に延び、前側のＸ型リンク部材５と後側のＸ型リンク部材５とを連結している。このことで、対応する前後のＸ型リンク部材５が連動するようになっている。パネル支持部材２は、上下に伸びる長孔２ｃを有し、各連結ピン８が、各パネル支持部材２に対してスライド移動可能に連結されることで、複数のＸ型リンク部材５（本実施形態では、３対）によって、隣接する複数のパネル支持部材２（本実施形態では４枚）が互いに連結されている。また、例えば、左右両端のパネル支持部材２が固定板１１を介して枠体３に固定されている。
【００５７】
中心ピン７の鍔部と反対側のＸ型リンク部材５の奥側には、固定用ナット１２が設けられている。この固定用ナット１２を締め付けることで、各Ｘ型リンク部材５が固定板１１に固定され、結果としてパネル支持部材２が枠体３に固定されるようになっている。
【００５８】
なお、その構造は限定されないが、連結ピン８は、パネル支持部材２から抜け止めされている。このように、連結ピン８を利用して各パネル支持部材２がＸ型リンク部材５に連結されるので、部品点数が少なくてすむ。
【００５９】
本変形例では、操作部９を下げてＸ型リンク部材５の間隔を延ばすと、各Ｘ型リンク部材５の連結ピン８がパネル支持部材２の長孔２ｃ内を互いに近付くように移動しながら、１対の棒状部材６間の角度が広がり、各パネル支持部材２間のピッチｘ１がそれぞれ均等に広がっていく。
【００６０】
（実施形態２）
図６は本発明の実施形態２を示し、リンク固定機構１１０が異なる点で上記実施形態１と異なる。
【００６１】
具体的には、本実施形態のリンク固定機構１１０は、上記固定板１１の代わりに、枠体３の左右端部に固定された上下に伸びるストッパ１１１を備えている。左右一番外側のＸ型リンク部材５の中心ピン７には、ロッド１１２の一端が連結され、ロッド１１２の他端側は、ストッパ１１１の上下中間部に設けたボス部１１１ａに対して左右にスライド可能に挿入されている。ロッド１１２の他端側には、ナット１１３が回転可能に挿入されている。ロッド１１２には、パネル支持部材２間のピッチｘ１，ｘ２を示す目盛り１１２ａが付されている。また、上記実施形態１のように、中心ピン７と、パネル支持部材２とが連結されている。
【００６２】
例えば、左右両端のパネル支持部材２が枠体３に固定されていることにより、ナット１１３を回転させることで、パネル支持部材２間のピッチｘ１，ｘ２を変更すると共に、このピッチｘ１，ｘ２を保持したままＸ型リンク部材５を固定するようになっている。
【００６３】
このように、ロッド１１２のピッチｘ１，ｘ２を見ながら、ナット１１３を回転させてストッパ１１１に固定することにより、各グループの各パネル支持部材２を同じピッチｘ１，ｘ２で簡単に固定することができる。
【００６４】
なお、左右一番内側のＸ型リンク部材５を枠体３に固定して、ピッチｘ１，ｘ２を変更可能に構成してもよい。
【００６５】
（実施形態３）
図７は本発明の実施形態３を示し、リンク固定機構２１０が異なる点で上記実施形態１及び２と異なる。
【００６６】
本実施形態のリンク固定機構２１０は、各グループごとの一番外側のＸ型リンク部材５における１対の棒状部材６で形成される角度を計測する角度計測器２１１を備えている。この角度計測器２１１から読み取られた角度と棒状部材６の長さとから、パネル支持部材２間のピッチｘ１，ｘ２を測定可能に構成されている。
【００６７】
例えば、角度計測器２１１は、枠体３の前後面に固定された透明の円板で構成し、この角度計測器２１１に測定された角度又は角度から換算したピッチｘ１，ｘ２の目盛り２１１ａにパネル支持部材２の印を合わせるように構成されている。そして、ピッチｘ１，ｘ２を合わせた状態で、中心ピン７を枠体３に固定された角度計測器２１１に固定可能に構成されている。また、上記実施形態１のように、中心ピン７と、パネル支持部材２とが連結されている。
【００６８】
このように、角度計測器２１１の角度又は換算された目盛り２１１ａを見ながらＸ型リンク部材５を開閉操作することにより、各グループの各パネル支持部材２を同じピッチｘ１，ｘ２で簡単に固定することができる。
【００６９】
（実施形態４）
図８は本発明の実施形態４を示し、リンク固定機構３１０が異なる点で上記実施形態１〜３と異なる。
【００７０】
上記実施形態２と同様に、各グループごとの一番外側のＸ型リンク部材５における１対の端部の外側に配置したストッパ３１１を設ける。例えば、一番外側のＸ型リンク部材５の中心ピン７には、ワイヤー３１２の一端が連結されている。ワイヤー３１２の他端は、ワイヤー巻取装置３１４に連結され、ワイヤー３１２の巻取量を測定可能に構成されている。このワイヤー巻取装置３１４の巻取量より上記ピッチｘ１，ｘ２を測定するように構成されている。また、上記実施形態１のように、中心ピン７と、パネル支持部材２とが連結されている。
【００７１】
したがって、本実施形態にかかるパネル収納用カセット１においても、ワイヤー３１２の巻取量に対応したピッチｘ１，ｘ２で、各グループの各パネル支持部材２を簡単に固定することができる。
【００７２】
なお、このワイヤー３１２の一端は、必ずしも左右外側のＸ型リンク部材５の中心ピン７に連結する必要はない。例えば、左右外側のパネル支持部材２を固定するのではなく、左右内側のパネル支持部材２を枠体３に固定すれば、一番外側のパネル支持部材２にワイヤー３１２の一端を連結してもよい。
【００７３】
−実施形態４の変形例−
詳しくは図示しないが、上記実施形態４のワイヤー３１２の他端に引っ張りバネなどの弾性部材を設け、この弾性部材の引張力を測定し、この測定値からピッチｘ１，ｘ２を計測するようにしてもよい。
【００７４】
（その他の実施形態）
本発明は、上記実施形態について、以下のような構成としてもよい。
【００７５】
すなわち、上記各実施形態では、中心ピン７をパネル支持部材２の固定に使用しているが、ワイヤー等のひも状のもので固定してもよい。
【００７６】
なお、以上の実施形態は、本質的に好ましい例示であって、本発明、その適用物や用途の範囲を制限することを意図するものではない。
【産業上の利用可能性】
【００７７】
以上説明したように、本発明は、複数種類の幅を有する液晶パネルや液晶基板、プラズマパネル等を収納するパネル収納用カセットについて有用である。
【符号の説明】
【００７８】
１      パネル収納用カセット
２      パネル支持部材
２ａ    パネル収納凹部
３      枠体
５      Ｘ型リンク部材（ピッチ変更機構）
６      棒状部材
７      中心ピン
８      連結ピン
１０      リンク固定機構
１１      固定板
１１ｂ    目盛り
Ｐ１，Ｐ２      パネル
ｘ１，ｘ２      ピッチ
１１０      リンク固定機構
１１１      ストッパ
１１２      ロッド
１１２ａ    目盛り
１１３      ナット
２１０      リンク固定機構
２１１      角度計測器
３１０      リンク固定機構
３１１      ストッパ
３１２      ワイヤー
３１４      ワイヤー巻取装置
【図１】
2011027488.tif 000003
【図２】
2011027488.tif 000004
【図３】
2011027488.tif 000005
【図４】
2011027488.tif 000006
【図５】
2011027488.tif 000007
【図６】
2011027488.tif 000008
【図７】
2011027488.tif 000009
【図８】
2011027488.tif 000010
【国際調査報告】
2011027488.tif 000011
2011027488.tif 000012
2011027488.tif 000013
2011027488.tif 000014